(57)【要約】【課題】  防水性に優れた低コストのレンズ組立体およびレンズ防水処理方法を提供することを目的とする。【解決手段】  単レンズ１１，１２が内部に配置されるレンズ枠１４と、レンズ枠１４内に配置された単レンズ１１，１２と、レンズ枠１４内に配置された単レンズ１１，１２からなるレンズ１３のうちの、光路となる前面１３ａおよび後面１３ｂを除く領域を覆うゴム膜１９とを有する。【選択図】        図２
2006343669.tif 000002
【特許請求の範囲】
【請求項１】
複数の単レンズが内部に配置されるレンズ枠内に複数の単レンズを配置し、前記レンズ枠内に配置された複数の単レンズからなるレンズのうちの、光路となる前面および後面をマスキングし、
前記レンズ枠を、該レンズ枠内の複数の単レンズとともに液状であって凝固性の防水材料に浸漬させることを特徴とするレンズ防水処理方法。
【請求項２】
複数の単レンズが内部に配置されるレンズ枠と、
前記レンズ枠内に配置された複数の単レンズと、
前記レンズ枠内に配置された複数の単レンズからなるレンズのうちの、光路となる前面および後面を除く領域を覆う防水材料とを有することを特徴とするレンズ組立体。
【請求項３】
前記レンズ枠が、該レンズ枠を他の部材に取り付ける取付部を有するものであり、
前記防水材料が、前記領域と前記取付部とを覆うものであることを特徴とする請求項２記載のレンズ組立体。
【発明の詳細な説明】
【技術分野】
【０００１】
本発明は、レンズを防水処理する方法および防水処理されたレンズ組立体に関する。
【背景技術】
【０００２】
従来、カメラやランプなどに用いられるレンズの防水処理について種々の工夫がなされている。例えば複数の発光ダイオードを基板上に取り付けた発光部と、透明レンズと、全体を覆う防水ケースとを備えた発光ダイオード表示器において、透明レンズと防水ケースをを同一の樹脂により一体成形した発光ダイオード表示器が開示されている（例えば、特許文献１参照。）。
【０００３】
また、Ｏリングやパッキングを用いてレンズを防水処理する方法も広く採用されており、例えば、ＬＥＤなどの発光表示体レンズの取付構造において、レンズとケースの間の隙間の部分にパッキングを取り付けることができるように、レンズに環状溝を設けて成形し、その環状溝にパッキングを挿入しケースの外側からレンズを圧入して取り付けるようにした発光表示体レンズの取付構造が開示されている（例えば、特許文献２参照。）。
【特許文献１】実開昭６３−８９２６７号公報（第２−５頁、図１〜３）
【特許文献２】特開平６−２６７３１７号公報（第１−３頁、図１，２）
【発明の開示】
【発明が解決しようとする課題】
【０００４】
しかし、上記特許文献１に開示されたような一体成形方式では、発光ダイオード表示器のレンズのように単レンズの場合には比較的容易に防水ケースと透明レンズとを同一の樹脂で一体成形することができるが、複数の単レンズで構成されたレンズの場合には、単レンズどうしの接触部分の防水処理ができないという問題がある。
【０００５】
また、上記特許文献２に開示されたような、Ｏリングやパッキングなどを用いたレンズ防水方式では、Ｏリングやパッキングの公差によりレンズとケースとの完全密封が保てない場合が生じるという問題があり、また温度などの使用条件によってはＯリングやパッキングの密封状態が変化するという問題がある。
【０００６】
本発明は、上記事情に鑑み、防水性に優れた低コストのレンズ組立体およびレンズ防水処理方法を提供することを目的とする。
【課題を解決するための手段】
【０００７】
上記課題を解決する本発明のレンズ防水処理方法は、
複数の単レンズが内部に配置されるレンズ枠内に複数の単レンズを配置し、上記レンズ枠内に配置された複数の単レンズからなるレンズのうちの、光路となる前面および後面をマスキングし、
上記レンズ枠を、該レンズ枠内の複数の単レンズとともに液状であって凝固性の防水材料に浸漬させることを特徴とする。
【０００８】
本発明のレンズ防水処理方法によれば、簡単な操作により、単レンズを含むレンズ枠全体を防水材料で覆うことができるので、防水性に優れたレンズ防水処理を低コストで行うことができる。
【０００９】
また、上記課題を解決する本発明のレンズ組立体は、
複数の単レンズが内部に配置されるレンズ枠と、
上記レンズ枠内に配置された複数の単レンズと、
上記レンズ枠内に配置された複数の単レンズからなるレンズのうちの、光路となる前面および後面を除く領域を覆う防水材料とを有することを特徴とする。
【００１０】
本発明のレンズ組立体によれば、簡単な構成を有しているので防水性の優れたレンズ組立体を低コストで得ることができる。
【００１１】
ここで、上記レンズ枠が、該レンズ枠を他の部材に取り付ける取付部を有するものであり、上記防水材料が、上記領域と上記取付部とを覆うものであってもよい。
【００１２】
本発明のレンズ組立体を上記のように構成した場合は、このレンズ組立体が例えばカメラ本体などに取り付けられて使用されるものであるときにも優れた防水性を得ることができる。
【発明の効果】
【００１３】
以上説明したように、本発明によれば、防水性に優れた低コストのレンズ組立体およびレンズ防水処理方法を実現することができる。
【発明を実施するための最良の形態】
【００１４】
以下図面を参照して本発明のレンズ防水処理方法およびレンズ組立体の実施の形態を説明する。
【００１５】
図１は、本発明のレンズ防水処理方法の工程を示す図である。
【００１６】
図１に示すように、このレンズ防水処理方法では、レンズ枠１４の内部に単レンズ１１，１２を配置する。
【００１７】
次に、このレンズ枠１４内に配置された単レンズ１１，１２からなるレンズ１３のうちの、光路となる前面１３ａおよび後面１３ｂをマスキング治具１５，１６でマスキングする。
【００１８】
次に、この前面１３ａおよび後面１３ｂがマスキングされたレンズ１３をレンズ枠１４とともに、液状であって凝固性の液体ゴム１７を満たした槽１８に浸漬した後、槽１８から引き上げる。
【００１９】
次に、液体ゴム１７が凝固した後に、レンズ１３からマスキング治具１５，１６を取り外すことにより、レンズ枠１４とレンズ１３のうちの光路となる前面１３ａおよび後面１３ｂを除く領域がゴム膜１９で覆われたレンズ組立体が得られる。
【００２０】
なお、この実施形態における液体ゴム１７は、本発明のレンズ防水処理方法にいう、液状であって凝固性の防水材料に相当するものである。この防水材料は液体ゴムのみに限られるものではなく液状であって凝固性を有するものであればどのような防水材料であってもよい。
【００２１】
図２は、本発明のレンズ防水処理方法により防水処理されたレンズ組立体を示す図である。
【００２２】
上記のレンズ防水処理方法により防水処理されたレンズ組立体２０は、図２に示すように、単レンズ１１，１２が内部に配置されるレンズ枠１４と、レンズ枠１４内に配置された単レンズ１１，１２と、レンズ枠１４内に配置された単レンズ１１，１２からなるレンズ１３のうちの、光路となる前面１３ａおよび後面１３ｂを除く領域を覆うゴム膜１９とを有している。
【００２３】
なお、この実施形態におけるゴム膜１９は、本発明のレンズ組立体にいう、液状であって凝固性の防水材料に相当するものである。この防水材料はゴムのみに限られるものではなく防水性を有していればどのような防水材料であってもよい。
【００２４】
次に、本発明のレンズ組立体の他の実施形態について説明する。この実施形態は、このレンズ組立体が、例えばカメラ本体などに取り付けられて使用される場合の実施形態を示すものである。
【００２５】
図３は、本発明のレンズ組立体の他の実施形態を示す図である。
【００２６】
この実施形態では、レンズ組立体３０は、図３に示すように、単レンズ１１，１２（図２参照）が内部に配置されるレンズ枠３４と、レンズ枠３４内に配置された単レンズと、レンズ枠３４内に配置された単レンズからなるレンズ１３（図２参照）のうちの、光路となる前面１３ａおよび後面１３ｂを除く領域を覆うゴム膜３９とを有しており、さらに、このレンズ枠３４は、該レンズ枠３４を、例えばカメラ本体などの他の部材３８に取り付ける取付部３１を有しており、上記ゴム膜３９、すなわち本発明にいう防水材料が、この取付部３１をも覆う構成となっている。
【００２７】
このレンズ組立体３０によれば、取付部３１もゴム膜３９で覆われているので、このレンズ組立体３０を他の部材３８に取り付けて用いた場合にも優れた防水性を得ることができる。
【００２８】
図４は、本発明のレンズ組立体の用途の一例を示す図である。
【００２９】
図４には、本発明のレンズ組立体を自動車の後方監視カメラとして使用した例が示されている。すなわち、自動車４０の後部バンパ４１にカメラ４２を取り付けておき、後進ギヤ操作が行われた際に、このカメラ４２で撮影した映像を運転席などに設置されたモニタ画面（図示せず）上に表示させることにより、運転者は容易に後方確認を行うことができる。
【００３０】
本発明のレンズ組立体は防水性に優れておりかつ低コストで製造することができるので、例えば上記の自動車の後方監視カメラのレンズとしてだけではなく、広く一般の用途に好適に使用することができる。
【図面の簡単な説明】
【００３１】
【図１】本発明のレンズ防水処理方法の工程を示す図である。
【図２】本発明のレンズ防水処理方法により防水処理されたレンズ組立体を示す図である。
【図３】本発明のレンズ組立体の他の実施形態を示す図である。
【図４】本発明のレンズ組立体の用途の一例を示す図である。
【符号の説明】
【００３２】
１１，１２    単レンズ
１３    レンズ
１３ａ    前面
１３ｂ    後面
１４    レンズ枠
１５，１６    マスキング治具
１７    液体ゴム
１８    槽
１９    ゴム膜
２０    レンズ組立体
３０    レンズ組立体
３１    取付部
３４    レンズ枠
３８    他の部材
３９    ゴム膜
４０    自動車
４１    後部バンパ
４２    カメラ
【図１】
2006343669.tif 000003
【図２】
2006343669.tif 000004
【図３】
2006343669.tif 000005
【図４】
2006343669.tif 000006